(57)【要約】【課題】発信者に対する不用意な課金の発生を抑えることが可能な携帯端末装置、プログラムおよび携帯端末装置の制御方法を提供する。【解決手段】携帯電話機１は、表示面３を有する表示部１３と、電話の着信に関する電波を受け付ける通信部１９とを備える。制御部１１は、通信部１９が受け付けた電話の着信に関する電波の受信状態を検知し、通信部１９が電波をローミングエリアで受信したことを検知した場合（Ｓ２３：ＹＥＳ）、ローミングエリア着信画面Ｒ１を表示面３に表示させ（Ｓ２５）、通信部１９が電波をホームエリアで受信したことを検知した場合（Ｓ２３：ＮＯ）、ホームエリア着信画面Ｈ１を表示面３に表示させる（Ｓ２４）。【選択図】図５
2014103448.tif 000002
【特許請求の範囲】
【請求項１】
表示面を有する表示部と、
電話の着信に関する電波を受け付ける着信受付部と、
前記着信受付部が受け付けた電話の着信に関する電波の受信状態を検知する受信状態検知部と、
前記着信受付部が前記電波をローミングエリアで受信したことを前記受信状態検知部が検知した場合、第１の着信画面を前記表示面に表示させ、前記着信受付部が前記電波をホームエリアで受信したことを前記受信状態検知部が検知した場合、第２の着信画面を前記表示面に表示させる着信制御部と、を備える、
ことを特徴とする携帯端末装置。
【請求項２】
請求項１に記載の携帯端末装置において、
ユーザによる操作を受け付ける操作受付部と、
記憶部と、をさらに備え、
前記記憶部は、前記着信受付部が前記電波を前記ローミングエリアで受信したことを通知する第１のメッセージを記憶し、
前記第１の着信画面は、前記第１のメッセージを通知するための操作の対象となる第１のオブジェクトを含み、
前記着信制御部は、前記第１のオブジェクトに対する操作に応じて、前記電話の発信者に前記第１のメッセージを通知する、
ことを特徴とする携帯端末装置。
【請求項３】
請求項２に記載の携帯端末装置において、
前記着信制御部は、前記第１のオブジェクトに対する操作に応じて、前記第１のメッセージが入力された電子メールを前記電話の発信者に送信する、
ことを特徴とする携帯端末装置。
【請求項４】
請求項２に記載の携帯端末装置において、
前記着信制御部は、前記第１のオブジェクトに対する操作に応じて、前記第１のメッセージが入力された、前記電話の発信者宛の電子メールの編集画面を前記表示面に表示する、
ことを特徴とする携帯端末装置。
【請求項５】
請求項２ないし４の何れか一項に記載の携帯端末装置において、
前記記憶部は、前記第１のメッセージの通知相手を特定するため判定条件を記憶し、
前記着信制御部は、前記判定条件に合致する前記電話の発信者に前記第１のメッセージを通知する、
ことを特徴とする携帯端末装置。
【請求項６】
請求項５に記載の携帯端末装置において、
前記着信制御部は、前記電話の発信者の電話番号が前記判定条件に合致する場合、前記第１のオブジェクトを前記第１の着信画面に表示し、前記電話の発信者の電話番号が前記判定条件に合致しない場合、前記第１のオブジェクトを前記第１の着信画面に表示しない、
ことを特徴とする携帯端末装置。
【請求項７】
請求項２ないし６の何れか一項に記載の携帯端末装置において、
前記記憶部は、ユーザが前記ローミングエリアから前記ホームエリアに戻ったことを通知する第２のメッセージを記憶するとともに、該第２のメッセージの通知相手を特定する
ための情報を登録するための登録領域を備え、
前記第１の着信画面は、前記第２のメッセージを通知するための操作の対象となる第２のオブジェクトを含み、
前記着信制御部は、前記第２のオブジェクトに対する操作に応じて、前記電話の発信者の情報を前記登録領域に登録するとともに、前記受信状態検知部が、前記着信受付部が前記ローミングエリアで電波を受信したことを検知した後に前記着信受付部が前記ホームエリアで電波を受信したことを検知したときに、前記第２のメッセージを通知する、
ことを特徴とする携帯端末装置。
【請求項８】
請求項７に記載の携帯端末装置において、
前記着信制御部は、前記受信状態検知部が、前記着信受付部が前記ローミングエリアで電波を受信したことを検知した後に前記着信受付部が前記ホームエリアで電波を受信したことを検知したときに、前記電話の発信者に前記第２のメッセージが入力された電子メールを送信する、
ことを特徴とする携帯端末装置。
【請求項９】
請求項７または８に記載の携帯端末装置において、
前記記憶部は、ユーザが前記ローミングエリアから前記ホームエリアに戻ったことを通知する第３のメッセージを記憶し、
前記着信制御部は、前記受信状態検知部が、前記着信受付部が前記ローミングエリアで電波を受信したことを検知した後に前記着信受付部が前記ホームエリアで電波を受信したことを検知したときに、前記第３のメッセージを前記表示面に表示する、
ことを特徴とする携帯端末装置。
【請求項１０】
請求項７ないし９の何れか一項に記載の携帯端末装置において、
前記記憶部は、前記着信受付部が前記電波を前記ローミングエリアで受信したことを通知する第４のメッセージを記憶し、
前記着信制御部は、前記第２のオブジェクトに対する操作に応じて、前記電話の発信者に前記第４のメッセージを通知する、
ことを特徴とする携帯端末装置。
【請求項１１】
請求項１０に記載の携帯端末装置において、
前記着信制御部は、前記着信受付部が前記ローミングエリアで電波を受信したことを前記受信状態検知部が検知した後に通話した前記電話の発信者には前記第４のメッセージを通知しない、
ことを特徴とする携帯端末装置。
【請求項１２】
請求項２ないし１１の何れか一項に記載の携帯端末装置において、
前記第１の着信画面は、前記電話の発信者に電子メールを送信するための操作の対象となる前記第３のオブジェクトを含み、
前記着信制御部は、前記第３のオブジェクトに対する操作に応じて、前記電話の発信者宛の電子メールの編集画面を前記表示面に表示する、
ことを特徴とする携帯端末装置。
【請求項１３】
請求項１に記載の携帯端末装置において、
ユーザによる操作を受け付ける操作受付部と、
記憶部と、をさらに備え、
前記記憶部は、ユーザが前記ローミングエリアから前記ホームエリアに戻ったことを通知する第２のメッセージを記憶するとともに、該第２のメッセージの通知相手を特定するための情報を登録するための登録領域を備え、
前記第１の着信画面は、前記第２のメッセージを通知するための操作の対象となる第２のオブジェクトを含み、
前記着信制御部は、前記第２のオブジェクトに対する操作に応じて、前記電話の発信者の情報を前記登録領域に登録するとともに、前記受信状態検知部が、前記着信受付部が前記ローミングエリアで電波を受信したことを検知した後に前記着信受付部が前記ホームエリアで電波を受信したことを検知したときに、前記第２のメッセージを通知する、
ことを特徴とする携帯端末装置。
【請求項１４】
表示面を有する表示部と、電話の着信に関する電波を受け付ける着信受付部とを備える携帯端末装置のコンピュータに、
前記着信受付部が受け付けた電話の着信に関する電波の受信状態を検知する機能と、
前記着信受付部が前記電波をローミングエリアで受信したことを検知した場合、第１の着信画面を前記表示面に表示させ、前記着信受付部が前記電波をホームエリアで受信したことを検知した場合、第２の着信画面を前記表示面に表示させる機能と、
を付与するプログラム。
【請求項１５】
表示面を有する表示部と、電話の着信に関する電波を受け付ける着信受付部とを備える携帯端末装置の制御方法であって、
前記着信受付部が受け付けた電話の着信に関する電波の受信状態を検知するステップと、
前記着信受付部が前記電波をローミングエリアで受信したことを検知した場合、第１の着信画面を前記表示面に表示させ、前記着信受付部が前記電波をホームエリアで受信したことを検知した場合、第２の着信画面を前記表示面に表示させるステップと、
を含む制御方法。
【発明の詳細な説明】
【技術分野】
【０００１】
本発明は、携帯電話機、ＰＤＡ（Personal Digital Assistant）、タブレットＰＣ（Tablet PC）、電子書籍端末等の携帯端末装置に関する。また、本発明は、かかる携帯端末装置に用いて好適なプログラムおよび制御方法に関する。
【背景技術】
【０００２】
従来、海外等において、携帯電話機を使用するためにあらかじめ契約された回線事業者以外の基地局の電波を用いて通信や通話ができるローミングサービスが提供されている（たとえば、特許文献１参照）。通常、ローミングサービスを用いて通話をする場合は、自身の基地局の電波を用いて通話する場合に比べて、発信者側に高額な通話料金が発生する。
【０００３】
従来、ローミングサービスが提供可能な携帯電話機では、ローミングサービスが提供されるエリア（ローミングエリア）に携帯電話機があることが電波の受信状態に応じて判別され、ピクト領域の電波アイコンの表示がローミングエリアに対応するアイコンの表示に切り替えられる。
【先行技術文献】
【特許文献】
【０００４】
【特許文献１】特開２００３−２８９５８０号公報
【発明の概要】
【発明が解決しようとする課題】
【０００５】
上記の携帯電話機では、ピクト領域における電波アイコンの表示は小さいため、ユーザは、ローミングサービスによる着信と気付かずに受話してしまうことが生じ得る。
また、発信者は、発信時に相手がローミングエリアにいることが分からない。この場合、発信者に対して、不用意に高額な通話料を発生させてしまうとの問題が生じる。
【０００６】
そこで、本発明は、発信者に対する不用意な課金の発生を抑えることが可能な携帯端末装置、プログラムおよび携帯端末装置の制御方法を提供することを目的とする。
【課題を解決するための手段】
【０００７】
本発明の第１の態様に係る携帯端末装置は、表示面を有する表示部と、電話の着信に関する電波を受け付ける着信受付部と、前記着信受付部が受け付けた電話の着信に関する電波の受信状態を検知する受信状態検知部と、前記着信受付部が前記電波をローミングエリアで受信したことを前記受信状態検知部が検知した場合、第１の着信画面を前記表示面に表示させ、前記着信受付部が前記電波をホームエリアで受信したことを前記受信状態検知部が検知した場合、第２の着信画面を前記表示面に表示させる着信制御部と、を備える。
【０００８】
本態様の携帯端末装置は、ユーザによる操作を受け付ける操作受付部と、記憶部と、をさらに備えるような構成とされ得る。この場合、前記記憶部は、前記着信受付部が前記電波を前記ローミングエリアで受信したことを通知する第１のメッセージを記憶する。前記第１の着信画面は、前記第１のメッセージを通知するための操作の対象となる第１のオブジェクトを含み、前記着信制御部は、前記第１のオブジェクトに対する操作に応じて、前記電話の発信者に前記第１のメッセージを通知する。
【０００９】
このような構成とした場合、前記着信制御部は、前記第１のオブジェクトに対する操作
に応じて、前記第１のメッセージが入力された電子メールを前記電話の発信者に送信するような構成とされ得る。
【００１０】
あるいは、前記着信制御部は、前記第１のオブジェクトに対する操作に応じて、前記第１のメッセージが入力された、前記電話の発信者宛の電子メールの編集画面を前記表示面に表示するような構成とされ得る。
【００１１】
本態様に係る携帯端末装置において、前記記憶部は、前記第１のメッセージの通知相手を特定するため判定条件を記憶するような構成とされ得る。この場合、前記着信制御部は、前記判定条件に合致する前記電話の発信者に前記第１のメッセージを通知する。
【００１２】
このような構成とした場合、前記着信制御部は、前記電話の発信者の電話番号が前記判定条件に合致する場合、前記第１のオブジェクトを前記第１の着信画面に表示し、前記電話の発信者の電話番号が前記判定条件に合致しない場合、前記第１のオブジェクトを前記第１の着信画面に表示しないような構成とされ得る。
【００１３】
本態様に係る携帯端末装置において、前記記憶部は、ユーザが前記ローミングエリアから前記ホームエリアに戻ったことを通知する第２のメッセージを記憶するとともに、該第２のメッセージの通知相手を特定するための情報を登録するための登録領域を備えるような構成とされ得る。この場合、前記第１の着信画面は、前記第２のメッセージを通知するための操作の対象となる第２のオブジェクトを含み、前記着信制御部は、前記第２のオブジェクトに対する操作に応じて、前記電話の発信者の情報を前記登録領域に登録するとともに、前記受信状態検知部が、前記着信受付部が前記ローミングエリアで電波を受信したことを検知した後に前記着信受付部が前記ホームエリアで電波を受信したことを検知したときに、前記第２のメッセージを通知する。
【００１４】
このような構成とした場合、前記着信制御部は、前記受信状態検知部が、前記着信受付部が前記ローミングエリアで電波を受信したことを検知した後に前記着信受付部が前記ホームエリアで電波を受信したことを検知したときに、前記電話の発信者に前記第２のメッセージが入力された電子メールを送信するような構成とされ得る。
【００１５】
本態様に係る携帯端末装置において、前記記憶部は、ユーザが前記ローミングエリアから前記ホームエリアに戻ったことを通知する第３のメッセージを記憶するような構成とされ得る。この場合、前記着信制御部は、前記受信状態検知部が、前記着信受付部が前記ローミングエリアで電波を受信したことを検知した後に前記着信受付部が前記ホームエリアで電波を受信したことを検知したときに、前記第３のメッセージを前記表示面に表示する。
【００１６】
本態様に係る携帯端末装置において、前記記憶部は、前記着信受付部が前記電波を前記ローミングエリアで受信したことを通知する第４のメッセージを記憶するような構成とされ得る。この場合、前記着信制御部は、前記第２のオブジェクトに対する操作に応じて、前記電話の発信者に前記第４のメッセージを通知する。
【００１７】
このような構成とした場合、前記着信制御部は、前記着信受付部が前記ローミングエリアで電波を受信したことを前記受信状態検知部が検知した後に通話した前記電話の発信者には前記第４のメッセージを通知しないような構成とされ得る。
【００１８】
本態様に係る携帯端末装置において、前記第１の着信画面は、前記電話の発信者に電子メールを送信するための操作の対象となる前記第３のオブジェクトを含み、前記着信制御部は、前記第３のオブジェクトに対する操作に応じて、前記電話の発信者宛の電子メール
の編集画面を前記表示面に表示するような構成とされ得る。
【００１９】
本体様に係る携帯端末装置は、ユーザによる操作を受け付ける操作受付部と、記憶部と、をさらに備えるような構成とされ得る。この場合、前記記憶部は、ユーザが前記ローミングエリアから前記ホームエリアに戻ったことを通知する第２のメッセージを記憶するとともに、該第２のメッセージの通知相手を特定するための情報を登録するための登録領域を備える。前記第１の着信画面は、前記第２のメッセージを通知するための操作の対象となる第２のオブジェクトを含み、前記着信制御部は、前記第２のオブジェクトに対する操作に応じて、前記電話の発信者の情報を前記登録領域に登録するとともに、前記受信状態検知部が、前記着信受付部が前記ローミングエリアで電波を受信したことを検知した後に前記着信受付部が前記ホームエリアで電波を受信したことを検知したときに、前記第２のメッセージを通知する。
【００２０】
本発明の第２の態様に係るプログラムは、表示面を有する表示部と、電話の着信に関する電波を受け付ける着信受付部とを備える携帯端末装置のコンピュータに、前記着信部が受け付けた電話の着信に関する電波の受信状態を検知する機能と、前記着信受付部が前記電波をローミングエリアで受信したことを検知した場合、第１の着信画面を前記表示面に表示させ、前記着信受付部が前記電波をホームエリアで受信したことを検知した場合、第２の着信画面を前記表示面に表示させる機能と、を付与する。
【００２１】
本発明の第３の態様は、表示面を有する表示部と、電話の着信に関する電波を受け付ける着信受付部とを備える携帯端末装置の制御方法に関する。本態様に係る制御方法は、前記着信受付部が受け付けた電話の着信に関する電波の受信状態を検知するステップと、前記着信受付部が前記電波をローミングエリアで受信したことを検知した場合、第１の着信画面を前記表示面に表示させ、前記着信受付部が前記電波をホームエリアで受信したことを検知した場合、第２の着信画面を前記表示面に表示させるステップと、を含む。
【発明の効果】
【００２２】
本発明によれば、発信者に対する不用意な課金の発生を抑えることが可能な携帯端末装置、プログラムおよび携帯端末装置の制御方法を提供することができる。
【００２３】
本発明の効果ないし意義は、以下に示す実施形態の説明によりさらに明らかとなろう。ただし、以下の実施形態は、あくまでも、本発明を実施化する際の一つの例示であって、本発明は、以下の実施形態に記載されたものに何ら制限されるものではない。
【図面の簡単な説明】
【００２４】
【図１】実施の形態に係る、携帯電話機の構成を示す図である。
【図２】実施の形態に係る、携帯電話機の全体構成を示すブロック図である。
【図３】実施の形態に係る、電話帳テーブルおよび着信履歴テーブルの構成を示す図である。
【図４】実施の形態に係る、電波の受信状態を検知するための制御処理の手順を示すフローチャートおよびホーム画面を示す図である。
【図５】実施の形態に係る、着信の制御処理の手順を示すフローチャートである。
【図６】実施の形態に係る、ホームエリアでの着信の制御処理の手順を示すフローチャートである。
【図７】実施の形態に係る、ローミングエリアでの着信の制御処理の手順を示すフローチャートである。
【図８】実施の形態に係る、ホームエリアで着信が行われる場合の表示面の画面遷移を示す図である。
【図９】実施の形態に係る、ローミングエリアで着信が行われる場合の表示面の画面遷移を示す図である。
【図１０】実施の形態に係る、発信者側携帯電話機における通知メッセージの受信画面の表示例を示す図である。
【図１１】変更例１に係る、ローミングエリアでの着信の制御処理の手順を示すフローチャートである。
【図１２】変更例１に係る、ローミングエリアで着信が行われる場合の表示面の画面遷移を示す図である。
【図１３】変更例２に係る、携帯電話機の全体構成を示すブロック図である。
【図１４】変更例２に係る、ローミングエリア通知先設定テーブルの構成を示す図およびローミングエリアでの着信の制御処理の手順を示すフローチャートである。
【図１５】変更例２に係る、ローミングエリアで着信が行われる場合の表示面の画面遷移を示す図である。
【図１６】変更例３に係る、携帯電話機の全体構成を示すブロック図である。
【図１７】変更例３に係る、ホームエリア帰着通知先登録テーブルの構成を示す図およびローミングエリアでの着信の制御処理の手順を示すフローチャートである。
【図１８】変更例３に係る、ローミングエリアで着信が行われる場合の表示面の画面遷移を示す図である。
【図１９】変更例３に係る、ホームエリア帰着時通知制御処理の手順を示すフローチャートである。
【図２０】変更例３に係る、ホームエリア帰着時の表示面の画面遷移を示す図である。
【図２１】変更例３に係る、発信者側携帯電話機における通知メッセージの受信画面の表示例を示す図である。
【図２２】変更例４に係る、ローミングエリアで着信が行われる場合の表示面の画面を示す図である。
【図２３】変更例４に係る、ローミングエリアでの着信の制御処理の手順を示すフローチャートである。
【図２４】変更例５に係る、通話の制御処理の手順を示すフローチャートである。
【発明を実施するための形態】
【００２５】
以下、本発明の実施形態について、図面を参照して説明する。
【００２６】
図１は、携帯電話機１の構成を示す図である。図１（ａ）および（ｂ）は、それぞれ、携帯電話機１の正面図および背面図である。
【００２７】
以下、説明の便宜上、図１に示すように、キャビネット２の長手方向を上下方向と定義し、キャビネット２の短手方向を左右方向と定義する。
【００２８】
携帯電話機１は、キャビネット２と、表示面３と、マイクロフォン４と、通話スピーカ５と、キー操作部６と、外部スピーカ７とを備えている。
【００２９】
キャビネット２は、正面から見て、ほぼ長方形状を有する。キャビネット２の正面に、後述する表示部１３の表示面３が配されている。表示面３には、各種の画像（画面）が表示される。
【００３０】
キャビネット２の内部には、下端部にマイクロフォン４が配されており、上端部に通話スピーカ５が配されている。マイクロフォン４には、キャビネット２の正面に形成されたマイク孔４ａを通じて音声が入力される。マイクロフォン４は、入力した音に応じた電気信号を生成する。通話スピーカ５からは、音声が出力される。出力された音声は、キャビネット２の正面に形成された出力孔５ａを通じて外部に放出される。
【００３１】
キャビネット２の正面には、キー操作部６が設けられている。キー操作部６は、複数の操作キーから構成されている。各操作キーには、実行中のプログラムを操作するための各種の機能が割り当てられる。
【００３２】
キャビネット２の内部には、外部スピーカ７が配されている。キャビネット２の背面には、外部スピーカ７に対応する出力孔７ａが形成されている。外部スピーカ７から出力された音（音声、報知音等）は、出力孔７ａを通じて外部に放出される。
【００３３】
図２は、携帯電話機１の全体構成を示すブロック図である。携帯電話機１は、制御部１１と、記憶部１２と、表示部１３と、タッチ検出部１４と、音声入力部１５と、音声出力部１６と、音声処理部１７と、キー入力部１８と、通信部１９を備えている。
【００３４】
記憶部１２は、ＲＯＭ、ＲＡＭ、外部メモリー等から構成される。記憶部１２には、各種のプログラムが記憶されている。記憶部１２に記憶されるプログラムは、携帯電話機１の各部を制御するための制御プログラムの他、各種アプリケーション（たとえば、電話、電子メール、電話帳、地図、ゲーム、スケジュール管理、等）を含む。プログラムは、メーカによって携帯電話機１の製造時に記憶部１２に記憶される他、ユーザによって通信網やメモリカード等の記憶媒体を介して記憶部１２に記憶される。
【００３５】
記憶部１２には、プログラムの実行の際、一時的に利用または生成されるデータを記憶する図示しないワーキング領域も含まれる。
【００３６】
記憶部１２には、図３（ａ）に示す電話帳テーブル１２ａが記憶されている。電話帳テーブル１２ａには、通信相手の連絡先情報が登録されている。連絡先情報は、名前、電話番号、メールアドレス、住所等の通信相手に係る連絡先の情報、および、通信相手に関連する画像、通信相手の誕生日、通信相手の趣味等の通信相手に係るその他の情報により構成される。各連絡先情報には登録番号が付されている。
【００３７】
ユーザは、電話帳のアプリケーションを実行し、所定の登録画面を用いて通信相手毎に連絡先情報を入力する。入力された連絡先情報が電話帳テーブル１２ａに登録される。
【００３８】
また、記憶部１２には、図３（ｂ）に示す着信履歴テーブル１２ｂが記憶されている。着信履歴テーブル１２ｂには、着信があった日時と発信者の電話番号が対応付けられて登録されている。着信履歴テーブル１２ｂは、所定の回数分の着信履歴を登録するための容量を有しており、容量の上限に到達した場合、最も古い着信履歴から順に着信履歴が削除される。
【００３９】
さらに、記憶部１２には、後述するローミングエリア通知機能に利用されるローミングエリア通知メッセージテンプレート１２ｃが記憶されている。ローミングエリア通知メッセージテンプレート１２ｃは、現在、ユーザが、ローミングエリアにいることを通知するための所定の文字列である。
【００４０】
制御部１１は、ＣＰＵ等から構成されている。制御部１１は、プログラムに従って、携帯電話機１を構成する各部（記憶部１２、表示部１３、タッチ検出部１４、音声入力部１５、音声出力部１６、音声処理部１７、キー入力部１８、通信部１９等）を制御する。
【００４１】
表示部１３は、液晶ディスプレイ等から構成される。表示部１３は、制御部１１からの制御信号と画像信号に基づき、表示面３に画像（画面）を表示する。表示部１３は、液晶ディスプレイに限らず、有機ＥＬディスプレイ等、他の表示装置から構成されてもよい。
【００４２】
タッチ検出部１４は、表示面３への指の接触を検出するタッチパネル等から構成されている。タッチパネルは、透明なシート状に形成され、表示面３上を覆いキャビネット２の正面に配される。タッチパネルは、静電容量式、超音波式、感圧式、抵抗膜式、光検知式等、各種方式のタッチパネルであってよい。
【００４３】
タッチ検出部１４は、前記表示面３へのユーザによるタッチ操作を受け付ける。具体的には、タッチ検出部１４は、ユーザの指が触れた表示面３上の位置、即ち、タッチ位置を検出し、検出したタッチ位置に応じた位置信号を制御部１１へ出力する。
【００４４】
ユーザは、表示面３に指を触れることにより各種のタッチ操作を行うことができる。タッチ操作の種類として、タップ操作、フリック操作、スライド操作、ロングタップ操作等が挙げられる。タップ操作は、表示面３に指を接触させた後、短時間のうちに表示面３より指を離す操作である。フリック操作は、表示面３を指で任意の方向に弾く操作である。スライド操作は、表示面３に指を接触させたまま任意の方向へ移動させる操作である。フリック操作およびスライド操作は、タッチ位置の移動を伴うタッチ操作である。ロングタップ操作は、表示面３に指を接触させた後、しばらくの間接触を維持し、表示面３から指を離す操作である。
【００４５】
タッチ操作についてより具体的に説明する。たとえば、タッチ検出部１４により表示面３に対するタッチ位置が検出された後、予め定めた第１時間以内にタッチ位置が検出されなくなった場合、即ち、表示面３より指を離す操作があった場合、制御部１１によりタップ操作がなされたと判定される。タッチ検出部１４により表示面３に対するタッチ位置が検出され、予め定めた第２時間以内に予め定めた第１距離以上タッチ位置が移動した後、タッチ位置が検出されなくなった場合、制御部１１によりフリック操作がなされたと判定される。タッチ検出部１４により表示面３に対するタッチ位置が検出された後、予め定めた第２距離以上タッチ位置が移動すると、制御部１１によりスライド操作がなされたと判定される。タッチ検出部１４により表示面３に対するタッチ位置が検出された後、予め定めた第３時間以上タッチ位置が検出され続け、さらにその後、タッチ位置が検出されなくなった場合、制御部１１によりロングタップ操作がなされたと判定される。
【００４６】
音声入力部１５は、マイクロフォン４等から構成される。音声入力部１５は、マイクロフォン４からの電気信号を音声処理部１７へ出力する。
【００４７】
音声出力部１６は、通話スピーカ５および外部スピーカ７を含む。音声出力部１６には、音声処理部１７からの電気信号が入力され、通話スピーカ５または外部スピーカ７から音（音声、報知音等）が出力される。
【００４８】
音声処理部１７は、音声入力部１５からの電気信号にＡ／Ｄ変換等を施し、変換後のデジタルの音声信号を制御部１１へ出力する。音声処理部１７は、制御部１１からのデジタルの音声信号にデコード処理およびＤ／Ａ変換等を施し、変換後の電気信号を音声出力部１６に出力する。
【００４９】
キー入力部１８は、キー操作部６の各操作キーが押下されたときに、押下された操作キーに応じた信号を制御部１１へ出力する。
【００５０】
通信部１９は、通話や通信を行うための信号を変換するための回路や電波を送受信するアンテナ等を備える。通信部１９は、制御部１１から入力される通話や通信のための信号を無線信号に変換し、変換された無線信号を、アンテナを介して基地局や他の通信装置等の通信先へ送信する。さらに、通信部１９は、アンテナを介して受信した無線信号を制御部１１が利用できる形式の信号へ変換し、変換された信号を制御部１１へ出力する。
【００５１】
図４（ａ）は、制御部１１が実行する電波の受信状態を検知するための制御処理の手順を示すフローチャートである。図４（ｂ）、図４（ｃ）は、電波受信状態における表示面３の画面表示例を示す図である。
【００５２】
携帯電話機１が起動されると、たとえば、図４（ｂ）、図４（ｃ）に示すように、表示面３に、初期画面であるホーム画面が表示される。表示面３に表示される領域のうち、上部のピクト領域には、電池残量や電波受信状態、現在時刻などが表示される。下部の表示領域には、各種アプリケーションを起動するためのアイコン等が表示される。
【００５３】
図４（ａ）の制御処理は、携帯電話機１の起動により開始され、各アプリケーションの制御処理等、他の制御処理とともに、並列して実行される。
【００５４】
携帯電話機１が起動されると、まず、制御部１１は、電波を受信できるか否かを判定する（Ｓ１１）。制御部１１は、電波を受信できると判断した場合（Ｓ１１：ＹＥＳ）、制御部１１は、受信した電波に、携帯電話機１を使用するためにあらかじめ契約された回線事業者の基地局の電波が含まれるか否かを判定する（Ｓ１２）。以下、携帯電話機１を使用するためにあらかじめ契約された回線事業者の基地局の電波を受信できるエリアを、「ホームエリア」と称する。また、携帯電話機１を使用するために契約された回線事業者の基地局の電波を受信できず、且つ、それ以外の基地局の電波を受信できるエリアを、「ローミングエリア」と称する。
【００５５】
携帯電話機１を使用するために契約された回線事業者の基地局の電波が含まれる場合（Ｓ１２：ＹＥＳ）、制御部１１は、図４（ｂ）に示すように、ピクト領域に電波アイコン１０１を表示する（Ｓ１３）。電波アイコン１０１には、ホームエリアを示すマークと、受信した電波の強度に応じた縦の線が含まれる。受信した電波の強度が強いほど、縦の線の本数が多く、弱いほど、縦の線の本数が少ない。
【００５６】
携帯電話機１を使用するために契約された回線事業者の基地局の電波が含まれない場合（Ｓ１２：ＮＯ）、制御部１１は、図４（ｃ）に示すように、ピクト領域にローミングアイコン１０２を表示する（Ｓ１４）。ローミングアイコン１０２には、ローミングエリアを示すマークと、受信した電波の強度に応じた縦の線が含まれる。なお、ローミングエリアを示すマークは、図４（ｃ）に示すマークのほか、たとえば、“Ｒｍ”の文字が含まれていても良い。
【００５７】
制御部１１は、電波を受信できないと判断した場合（Ｓ１１：ＮＯ）、表示面３上のピクト領域に圏外アイコンを表示する（Ｓ１５）。圏外アイコンには、たとえば、“圏外”の文字が含まれる。
【００５８】
制御部１１は、携帯電話機１の電源がオフされない限り（Ｓ１６：ＮＯ）、処理をＳ１１に戻し、携帯電話機１の電源がオフされるまでＳ１１〜Ｓ１５の処理を繰り返す。
【００５９】
このような処理により、携帯電話機１の電波の受信状況に応じて、制御部１１によって、ホームエリアを示す電波アイコン１０１と、ローミングエリアを示すローミングアイコン１０２と、圏外を示す圏外アイコンの表示が切り替えられる。したがって、ユーザは、ピクト領域を確認することにより、受信している電波が、ホームエリアで受信された電波であるか、ローミングエリアで受信された電波であるかを把握することができる。
【００６０】
しかし、図４（ｂ）、図４（ｃ）に示すように、電波アイコン１０１、ローミングアイコン１０２のサイズは、表示面３全体のサイズに対して小さい。したがって、電話の着信
時において、ユーザが、ホームエリアかローミングエリアかを瞬時に判断することは困難な場合がある。特に、ローミングエリアで着信した場合、発信者に高額な通信費が発生するため、ローミングエリアで誤って受話した場合、発信者に大きな費用負担が生じることとなる。
【００６１】
そこで、本実施の形態の携帯電話機１は、電波の受信状態に応じて、着信画面を切り替える機能を備えている。
【００６２】
図５は、着信制御処理の手順を示すフローチャートである。
【００６３】
図５の着信制御処理は、携帯電話機１の起動により開始され、各アプリケーションの制御処理等、他の制御処理とともに、並列して実行される。
【００６４】
携帯電話機１が起動されると、まず、制御部１１は、他の機器から通信部１９へ着信があるか否かを判定する（Ｓ２１）。通信部１９に着信がない場合（Ｓ２１：ＮＯ）、制御部１１は、携帯電話機１の電源がオフされない限り（Ｓ２２：ＮＯ）、処理を待機させる。
【００６５】
他の機器から通信部１９へ着信があると（Ｓ２１：ＹＥＳ）、制御部１１は、受信している電波がローミングエリアの電波であるか否かを判定する（Ｓ２３）。具体的には、図４（ａ）に示した処理により、電波アイコン１０１が表示されている状態であるのか、ローミングアイコン１０２が表示されている状態であるのかを判定する。
【００６６】
受信している電波がローミングエリアの電波でない場合（Ｓ２３：ＮＯ）、すなわち、受信している電波がホームエリアの電波である場合、制御部１１は、ホームエリアに応じた着信の制御処理を行う（Ｓ２４）。受信している電波がローミングエリアの電波の場合（Ｓ２３：ＹＥＳ）、制御部１１は、ローミングエリアに応じた着信の制御処理を行う（Ｓ２５）。
【００６７】
図６は、ホームエリアに応じた着信の制御処理の手順を示すフローチャートである。図７は、ローミングエリアに応じた着信の制御処理の手順を示すフローチャートである。
【００６８】
制御部１１は、受信した電波がホームエリアの電波であると判断すると（Ｓ２３：ＮＯ）、図８（ａ）に示すように、ホームエリア着信画面Ｈ１を表示面３に表示する（Ｓ１０１）。他方、制御部１１は、受信した電波がローミングエリアの電波であると判断すると（Ｓ２３：ＹＥＳ）、図９（ａ）に示すように、ローミングエリア着信画面Ｒ１を表示面３に表示する（Ｓ２０１）。
【００６９】
図８（ａ）は、ホームエリア着信画面Ｈ１を示す図である。図８（ｂ）ないし図８（ｄ）は、ホームエリア着信画面Ｈ１からの画面遷移の例を示す図である。図９（ａ）は、ローミングエリア着信画面Ｒ１を示す図である。図９（ｂ）は、ローミングエリア着信画面Ｒ１からの画面遷移例を示す図である。
【００７０】
図８（ａ）を参照して、ホームエリア着信画面Ｈ１には、着信中であることを示すメッセージと、発信者の電話番号と、電話帳テーブル１２ａに登録された電話番号に対応する名前が表示される。ホームエリア着信画面Ｈ１には、受話アイコン１１１と、拒否アイコン１１２と、メッセージ通知アイコン１１３が配されている。受話アイコン１１１には、着信中の電話に応答するための機能が割り当てられている。拒否アイコン１１２には、着信を切断する機能が割り当てられている。メッセージ通知アイコン１１３には、着信を切断し、発信者の電話番号宛にＳＭＳ（Short Message Service）を送信するための機能が
割り当てられている。
【００７１】
また、図９（ａ）を参照して、ローミングエリア着信画面Ｒ１では、ローミングエリア着信中であることを示すメッセージと、発信者の電話番号と、電話帳テーブル１２ａに登録された電話番号に対応する名前が表示される。ローミングエリア着信画面Ｒ１には、受話アイコン１１１と、拒否アイコン１１２と、ローミングエリア通知アイコン１１４が配されている。ローミングエリア通知アイコン１１４には、着信を切断し、発信者の電話番号宛に携帯電話機１がローミングエリアにいることを伝えるためのメッセージが記載されたＳＭＳ（Short Message Service）を送信する機能が割り当てられている。
【００７２】
まず、ホームエリア着信画面Ｈ１における各機能の制御について説明する。
【００７３】
図６を参照して、ホームエリア着信画面Ｈ１を表示すると（Ｓ１０１）、制御部１１は、メッセージ通知アイコン１１３に対してタップ操作がなされたか否かを判定する（Ｓ１０２）。メッセージ通知アイコン１１３に対してタップ操作がなされていない場合（Ｓ１０２：ＮＯ）、制御部１１は、受話アイコン１１１に対してタップ操作がなされたか否かを判定する（Ｓ１０３）。受話アイコン１１１に対してタップ操作がなされていない場合（Ｓ１０３：ＮＯ）、制御部１１は、拒否アイコン１１２に対してタップ操作がなされたか否かを判定する（Ｓ１０４）。拒否アイコン１１２に対してタップ操作がなされていない場合（Ｓ１０４：ＮＯ）、制御部１１は、着信が終了したか否かを判定する（Ｓ１０５）。そして、着信が終了していない場合（Ｓ１０５：ＮＯ）、制御部１１は、処理をＳ１０２に戻し、各アイコンに対するタップ操作状況の判定処理（Ｓ１０２〜Ｓ１０４）を繰り返す。
【００７４】
受話アイコン１１１に対してタップ操作がなされると（Ｓ１０３：ＹＥＳ）、制御部１１は、通話処理を行う（Ｓ１０６）。通話処理は、たとえば、表示面３に通話画面を表示する処理、通信先の電話機との通信網の確立、受話音声の入出力処理、通話終了処理等、を含む。拒否アイコン１１２に対してタップ操作がなされると（Ｓ１０４：ＹＥＳ）、制御部１１は、着信を切断する（Ｓ１０７）。
【００７５】
メッセージ通知アイコン１１３に対してタップ操作がなされると（Ｓ１０２：ＹＥＳ）、制御部１１は、着信を切断し（Ｓ１０８）、図８（ｂ）に示すように表示面３にＳＭＳ作成画面を表示する（Ｓ１０９）。ＳＭＳ作成画面には、ＳＭＳの内容を編集するための編集領域Ｗ１と、送信ボタン１２１と、キャンセルボタン１２２が含まれている。
【００７６】
ＳＭＳ作成画面を表示すると、制御部１１は、編集領域Ｗ１に対してタップ操作がなされたか否かを判定する（Ｓ１１０）。編集領域Ｗ１に対してタップ操作がなされると（Ｓ１１０：ＹＥＳ）、制御部１１は、編集領域Ｗ１のメッセージ編集処理を行う（Ｓ１１１）。メッセージ編集処理には、たとえば、ユーザによるソフトウェアキーボード入力に応じた文字の入出力制御が含まれる。ユーザは、表示面３に表示されたソフトウェアキーボードにより、メッセージを入力する。たとえば、図８（ｃ）に示すように、現在、電話に出られないことを伝えるメッセージを入力する。
【００７７】
メッセージ編集処理が完了すると、または、編集領域Ｗ１に対してタップ操作がなされていない場合（Ｓ１１０：ＮＯ）、制御部１１は、送信ボタン１２１に対してタップ操作がなされたか否かを判定する（Ｓ１１２）。送信ボタン１２１に対してタップ操作がなされていない場合（Ｓ１１２：ＮＯ）、制御部１１は、キャンセルボタン１２２に対してタップ操作がなされたか否かを判定する（Ｓ１１３）。キャンセルボタン１２２に対してタップ操作がなされていない場合（Ｓ１１３：ＮＯ）、制御部１１は、処理をＳ１１０に戻し、ユーザによるメッセージ編集待ちの処理と、各ボタンに対するタップ操作状況の判定
処理を繰り返す（Ｓ１１０〜Ｓ１１３）。
【００７８】
送信ボタン１２１に対してタップ操作がなされると（Ｓ１１２：ＹＥＳ）、制御部１１は、発信者の電話番号宛にＳＭＳを送信する（Ｓ１１４）。これにより、図８（ｄ）に示すように、表示面３にＳＭＳ送信画面が表示される。ＳＭＳ送信画面には、たとえば、ＳＭＳを送信したことを伝えるメッセージが記載されたＳＭＳ送信ウィンドウ２０１が含まれる。キャンセルボタン１２２に対してタップ操作がなされた場合（Ｓ１１３：ＹＥＳ）、制御部１１は、ＳＭＳの送信を中止し、表示面３のＳＭＳの作成画面の表示を終了する。
【００７９】
こうして、各機能の制御処理が完了すると、制御部１１は、処理をＳ２１に戻し、次の着信を待つ。
【００８０】
図１０（ａ）、図１０（ｂ）は、発信者の携帯電話機５０１の表示面５０２に表示されるＳＭＳ受信画面の表示例を示す図である。なお、携帯電話機５０１は携帯電話機１と同様の構成を有しているが、実施例の説明のために受信者の携帯電話機と発信者の携帯電話機とを区別して別の構成番号を付与した。
【００８１】
上述のようにして、携帯電話機１のホームエリア着信画面Ｈ１にて、メッセージ通知アイコン１１３に対してタップ操作がなされ、ＳＭＳが送信されると、図１０（ａ）に示すように、携帯電話機１がローミングエリアにあるときに発信した発信者の携帯電話機５０１の表示面５０２には、ＳＭＳ受信画面が表示される。
【００８２】
このように、ホームエリアでの着信時には、ユーザは、メッセージ通知アイコン１１３に対してタップ操作を行うことにより、ＳＭＳを作成することができ、発信者に任意のメッセージを通知することができる。
【００８３】
次に、ローミングエリア着信画面Ｒ１における各機能の制御について説明する。本実施の形態の携帯電話機１のローミングエリア着信画面Ｒ１では、携帯電話機１がローミングエリアにいることを発信者に迅速に通知する機能が実行される。
【００８４】
図７を参照して、ローミングエリア着信画面Ｒ１を表示すると（Ｓ２０１）、制御部１１は、ローミングエリア通知アイコン１１４に対してタップ操作がなされたか否かを判定する（Ｓ２０２）。ローミングエリア通知アイコン１１４に対してタップ操作がなされていない場合（Ｓ２０２：ＮＯ）、制御部１１は、ホームエリア着信時の制御処理と同様に、着信が終了しない限り（Ｓ２０５：ＮＯ）、受話アイコン１１１に対するタップ操作状況（Ｓ２０３）、拒否アイコン１１２に対するタップ操作状況（Ｓ２０４）の判定処理を繰り返す。
【００８５】
受話アイコン１１１に対してタップ操作がなされると（Ｓ２０３：ＹＥＳ）、制御部１１は、通話処理を行い（Ｓ２０６）、拒否アイコン１１２に対してタップ操作がなされると（Ｓ２０４：ＹＥＳ）、制御部１１は、着信を切断する（Ｓ２０７）。
【００８６】
ローミングエリア通知アイコン１１４に対してタップ操作がなされると（Ｓ２０２：ＹＥＳ）、制御部１１は、着信を切断し（Ｓ２０８）、図２に示す記憶部１２にあらかじめ記憶されたローミングエリア通知メッセージテンプレート１２ｃからローミングエリア通知メッセージを読み出す（Ｓ２０９）。そして、制御部１１は、ローミングエリア通知メッセージが入力されたＳＭＳを作成し（Ｓ２１０）、発信者の電話番号宛にＳＭＳを送信する（Ｓ２１１）。これにより、図９（ｂ）に示すように、表示面３にＳＭＳ送信画面が表示される。ＳＭＳ送信画面には、たとえば、ローミングエリアを通知するＳＭＳを送信
したことを伝えるメッセージが記載されたＳＭＳ送信ウィンドウ２０２が含まれる。
【００８７】
こうして、各機能の制御処理が完了すると、制御部１１は、処理をＳ２１に戻し、次の着信を待つ。
【００８８】
上述のようにして、携帯電話機１のローミングエリア着信画面Ｒ１にて、ローミングエリア通知アイコン１１４に対してタップ操作がなされ、自動的にローミングエリア通知メッセージが記載されたＳＭＳが送信されると、図１０（ｂ）に示すように、携帯電話機１がローミングエリアにあるときに発信した発信者の携帯電話機５０１の表示面５０２には、ＳＭＳ受信画面が表示される。
【００８９】
以上、本実施の形態によれば、電波の受信状態に応じて、ホームエリア着信画面Ｈ１とローミングエリア着信画面Ｒ１が切り替えられて表示されるため、ユーザは、ローミングエリアでの着信を迅速、且つ、適正に判断することができる。これにより、発信者に対する不用意な課金の発生を抑えることができる。
【００９０】
さらに、本実施の形態によれば、ローミングエリアでの着信時に、ローミングエリア通知アイコン１１４に対してタップ操作を行うことにより、あらかじめ記憶部１２に記憶されたローミングエリア通知メッセージが記載されたＳＭＳが自動的に送信される。これにより、ユーザは、メッセージを入力する手間を省くことができ、携帯電話機１がローミングエリアにいることを、発信者に迅速に通知することができる。なお、緊急の場合は、受話アイコン１１１に対するタップ操作を行うことにより発信者と通話することができる。
【００９１】
＜変更例１＞
上記実施の形態では、ローミングエリア通知アイコン１１４に対するタップ操作がなされると、ローミングエリア通知メッセージが記載されたＳＭＳが自動的に送信されたが、変更例１では、ローミングエリア通知メッセージが記載されたＳＭＳ作成画面が表示面３に表示される。
【００９２】
図１１は、変更例１に係る、ローミングエリアに応じた着信の制御処理の手順を示すフローチャートである。図１１は、図７のフローチャートを一部変更するものであり、変更された処理を含む一部の処理のみが示されている。図１２（ａ）〜図１２（ｃ）は、変更例１に係る、ローミングエリア着信画面Ｒ１からの画面遷移例を示す図である。
【００９３】
以下、変更例１のローミングエリアに応じた着信制御処理について説明する。上記実施の形態と同じ処理については、同じステップ番号を付し、説明を省略する。
【００９４】
ローミングエリア着信画面Ｒ１において、ローミングエリア通知アイコン１１４に対してタップ操作がなされると（Ｓ２０２：ＹＥＳ）、制御部１１は、着信を切断し（Ｓ２０８）、記憶部１２に記憶されたローミングエリア通知メッセージテンプレート１２ｃからローミングエリア通知メッセージを読み出す（Ｓ２０９）。そして、制御部１１は、図１２（ｂ）に示すように、ローミングエリア通知メッセージが入力されたＳＭＳ作成画面を表示面３に表示する（Ｓ２２１）。ＳＭＳ作成画面には、ホーム着信画面Ｈ１におけるＳＭＳ作成画面と同様に、ＳＭＳの内容を編集するための編集領域Ｗ１と、送信ボタン１２１と、キャンセルボタン１２２が含まれている。編集領域Ｗ１には、記憶部１２から読み出されたローミングエリア通知メッセージが入力されている。
【００９５】
ＳＭＳ作成画面を表示すると、制御部１１は、編集領域Ｗ１に対してタップ操作がなされたか否かを判定する（Ｓ２２２）。編集領域Ｗ１に対してタップ操作がなされると（Ｓ２２２：ＹＥＳ）、制御部１１は、編集領域Ｗ１のメッセージ編集処理を行う（Ｓ２２３
）。メッセージを追加したい場合、ユーザは、ソフトウェアキーボードにより、メッセージを追加する。たとえば、ユーザは、帰国予定日や時間等を追加入力することができる。または、メッセージを変更したい場合、ユーザは、ソフトウェアキーボードにより、発信者に伝えたいメッセージを変更する。
【００９６】
メッセージ編集処理が完了すると、または、編集領域Ｗ１に対してタップ操作がなされていない場合（Ｓ２２２：ＮＯ）、制御部１１は、送信ボタン１２１に対してタップ操作がなされたか否かを判定する（Ｓ２２４）。送信ボタン１２１に対してタップ操作がなされていない場合（Ｓ２２４：ＮＯ）、制御部１１は、キャンセルボタン１２２に対してタップ操作がなされたか否かを判定する（Ｓ２２５）。キャンセルボタン１２２に対してタップ操作がなされていない場合（Ｓ２２５：ＮＯ）、制御部１１は、処理をＳ２２２に戻し、ユーザによるメッセージ編集待ちの処理と、各ボタンに対するタップ操作状況の判定処理を繰り返す（Ｓ２２２〜Ｓ２２５）。
【００９７】
送信ボタン１２１に対するタップ操作がなされると（Ｓ２２４：ＹＥＳ）、制御部１１は、発信者の電話番号宛にＳＭＳを送信する（Ｓ１１４）。これにより、図１２（ｃ）に示すように、表示面３にＳＭＳ送信画面が表示される。キャンセルボタン１２２に対するタップ操作がなされた場合（Ｓ２２５：ＹＥＳ）、制御部１１は、ＳＭＳの送信を中止し、表示面３のＳＭＳの作成画面の表示を終了する。
【００９８】
こうして、各機能の制御処理が完了すると、制御部１１は、処理をＳ２１に戻し、次の着信を待つ。
【００９９】
本変更例の構成とすれば、ローミングエリア通知アイコン１１４に対してタップ操作を行うことにより、あらかじめ記憶部１２に記憶されたローミングエリア通知メッセージが入力されたＳＭＳ作成画面が表示される。これにより、ユーザは、メッセージを入力する手間を省くことができ、携帯電話機１がローミングエリアにいることを、発信者に迅速に通知することができる。
【０１００】
さらに、本変更例の構成とすれば、編集領域Ｗ１に対してタップ操作を行うことにより、ユーザは、メッセージを追加、または、変更することができ、状況に応じた適正なメッセージを発信者に通知することができる。
【０１０１】
なお、本変更例では、編集領域Ｗ１に対してタップ操作を行うことにより、ユーザはメッセージを追加入力することができる。これに限らず、たとえば、スケジュール管理アプリケーション等により、帰国予定日が自動入力されるボタンがＳＭＳ作成画面に配されていても良い。こうすると、ユーザは、より迅速に、帰国予定日等の追加情報を入力することができる。
【０１０２】
＜変更例２＞
上記実施の形態では、ユーザがローミングエリア着信画面においてローミングエリア通知アイコン１１４に対するタップ操作を行うと、ローミングエリア通知メッセージが発信者に通知されたが、変更例２では、予め設定された通知先からの着信にのみ、ローミングエリア通知アイコン１１４が表示される。
【０１０３】
図１３は、変更例２に係る、携帯電話機１の全体構成を示すブロック図である。本変更例では、記憶部１２に、図１４（ａ）に示すローミング通知先設定テーブル１２ｄが記憶されている。
【０１０４】
ローミングエリア通知先設定テーブル１２ｄには、あらかじめローミングエリア通知を
行う対象の電話番号が登録されている。ローミングエリア通知先設定テーブル１２ｄに登録される電話番号は、たとえば、電話帳テーブル１２ａを編集するためのアプリケーションから特定の個人の電話番号を選択することにより設定される。ローミングエリア通知先設定テーブル１２ｄに登録される電話番号は、電話帳テーブル１２ａのグループごとに設定されても良い。さらには、ローミングエリア通知先設定テーブル１２ｄに登録される電話番号は、着信履歴テーブル１２ｂから、着信の頻度の高い相手のみの電話番号が自動的に設定されても良い。このほか、ローミングエリア通知先設定テーブル１２ｄに登録される電話番号は、種々の方法によって登録され得る。
【０１０５】
図１４（ｂ）は、変更例２に係る、ローミングエリアに応じた着信の制御処理の手順を示すフローチャートである。図１４（ｂ）は、図７のフローチャートを一部変更するものであり、変更された処理を含む一部の処理のみが示されている。図１５（ａ）、図１５（ｂ）は、変更例２に係る、ローミングエリア着信画面Ｒ２からの画面遷移例を示す図である。
【０１０６】
以下、変更例２のローミングエリアに応じた着信制御処理について説明する。上記実施形態と同じ処理については、同じステップ番号を付し、説明を省略する。
【０１０７】
図５の処理において、ローミングエリアでの着信であると判定すると（Ｓ２３：ＹＥＳ）、制御部１１は、ローミングエリア通知先設定テーブル１２ｄに発信者の電話番号が設定されているか否かを判定する（Ｓ３０１）。
【０１０８】
ローミングエリア通知先設定テーブル１２ｄに発信者の電話番号が設定されている場合（Ｓ３０１：ＹＥＳ）、制御部１１は、上記実施の形態同様、ローミングエリア通知アイコン１１４が配されたローミングエリア着信画面Ｒ１を表示面３に表示する（Ｓ２０１）。
【０１０９】
ローミングエリア通知先設定テーブル１２ｄに発信者の電話番号が設定されていない場合（Ｓ３０１：ＮＯ）、制御部１１は、図１５（ａ）示すように、ローミングエリア通知アイコン１１４に代えて、メッセージ通知アイコン１１５が配されたローミングエリア着信画面Ｒ２を表示面３に表示する（Ｓ３０２）。そして、制御部１１は、図６に示すホームエリア着信処理のＳ１０２以降と同様の処理を実行する。
【０１１０】
これにより、あらかじめローミングエリア通知先設定テーブル１２ｄに設定されていない電話番号からの着信の場合、メッセージ通知アイコン１１５に対してタップ操作がなされると、図１５（ｂ）に示すように、メッセージが入力されていない、通常のＳＭＳ作成画面が表示面３に表示される。
【０１１１】
本変更例の構成とすれば、あらかじめローミングエリア通知先設定テーブル１２ｄに設定されていない相手からの着信の場合に、不用意に発信者にローミングエリア通知先メッセージが送信されることを防ぐことができる。したがって、海外に渡航している等のユーザの個人情報が、不用意に第三者に漏洩することを抑えることができる。
【０１１２】
＜変更例３＞
上記実施の形態、および変更例１、２では、ローミングエリアでの着信直後に、ローミングエリア通知メッセージが発信者に通知されたが、変更例３では、さらに、ユーザがホームエリアに帰着した際に、ユーザがホームエリアに帰着したことを伝えるメッセージが通知される。
【０１１３】
図１６は、変更例３に係る、携帯電話機１の全体構成を示すブロック図である。本変更
例では、記憶部１２に、図１７（ａ）に示すホームエリア帰着通知先登録テーブル１２ｆと、ホームエリア帰着通知メッセージテンプレート１２ｅが記憶されている。ホームエリア帰着通知メッセージテンプレート１２ｅは、ユーザが、ホームエリアに帰着したことを通知するための所定の文字列である。
【０１１４】
図１７（ｂ）は、変更例３に係る、ローミングエリアに応じた着信の制御処理の手順を示すフローチャートである。図１７（ｂ）は、図７のフローチャートを一部変更するものであり、変更された処理を含む一部の処理のみが示されている。図１８（ａ）、図１８（ｂ）は、変更例３に係る、ローミングエリア着信画面Ｒ３からの画面遷移例を示す図である。
【０１１５】
以下、変更例３のローミングエリアに応じた着信制御処理について説明する。上記実施形態と同じ処理については、同じステップ番号を付し、説明を省略する。
【０１１６】
図５の処理において、ローミングエリアでの着信であると判定すると（Ｓ２３：ＹＥＳ）、制御部１１は、図１８（ａ）示すように、ローミングエリア通知アイコン１１４に代えて、ホームエリア帰着通知アイコン１１６が配されたローミングエリア着信画面Ｒ３を表示面３に表示する（Ｓ４０１）。
【０１１７】
ローミングエリア着信画面Ｒ３において、ホームエリア帰着通知アイコン１１６に対してタップ操作がなされると（Ｓ４０２：ＹＥＳ）、制御部１１は、上記実施の形態のローミングエリア通知アイコン１１４が通知されたときと同様に、着信を切断し（Ｓ４０３）、ローミングエリア通知メッセージが記載されたＳＭＳを発信者に送信する（Ｓ４０４〜Ｓ４０６）。これにより、図１８（ｂ）に示すように、表示面３にＳＭＳ送信画面が表示される。ＳＭＳ送信画面には、たとえば、ローミングエリアを通知するＳＭＳを送信したことと、ホームエリア帰着時に再度、通知が行われることを伝えるメッセージが記載されたＳＭＳ送信ウィンドウ２０３が含まれる。
【０１１８】
制御部１１は、発信者の電話番号を、記憶部１２のホームエリア帰着通知先登録テーブル１２ｆに登録する（Ｓ４０７）。これにより、図１７（ａ）に示すように、ホームエリア帰着までに着信があり、ホームエリア帰着通知アイコン１１６に対してタップ操作がなされた発信者の電話番号が蓄積される。
【０１１９】
図１９は、変更例３に係る、ホームエリア帰着時通知制御処理の手順を示すフローチャートである。ホームエリア帰着時通知制御処理は、ホームエリア帰着通知先登録テーブル１２ｆに電話番号が登録されると開始され、各アプリケーションの制御処理等、他の制御処理とともに、並列して実行される。
【０１２０】
制御部１１は、まず、受信している電波がホームエリアの電波であるか否かを判定する（Ｓ３１）。受信している電波がホームエリアの電波でない場合（Ｓ３１：ＮＯ）、制御部１１は、処理を待機させる。
【０１２１】
受信している電波がホームエリアの電波の場合（Ｓ３１：ＹＥＳ）、制御部１１は、あらかじめ図１６に示す記憶部１２に記憶されたホームエリア帰着通知メッセージテンプレート１２ｅからホームエリア帰着通知メッセージを読み出す（Ｓ３２）。そして、制御部１１は、図２０（ａ）に示すように、ホームエリア帰着通知画面を表示面３に表示する（Ｓ３３）。ホームエリア帰着通知画面には、たとえば、ホームエリアに帰着したことを伝えるメッセージが記載された通知ウィンドウ２１１が含まれる。通知ウィンドウ２１１は、たとえば、ホームエリア帰着通知先登録テーブル１２ｆへの電話番号の登録時に、記憶部１２に記憶されるアラームのアプリケーションに対して、報知スケジュールが登録され
ることよって表示されても良い。この際、ユーザが気付き易いように、音声出力部１６から音が再生されるようにされても良い。
【０１２２】
制御部１１は、ホームエリア帰着通知メッセージが入力されたＳＭＳを作成し（Ｓ３４）、ホームエリア帰着通知先登録テーブル１２ｆに登録された全電話番号宛にＳＭＳを送信する（Ｓ３５）。これにより、図２０（ｂ）に示すように、表示面３にＳＭＳ送信画面が表示される。ＳＭＳ送信画面には、たとえば、ユーザがホームエリアに帰着したことを通知するＳＭＳを送信したことを伝えるメッセージと、送信先の電話番号が記載されたＳＭＳ送信ウィンドウ２０４が含まれる。
【０１２３】
制御部１１は、ホームエリア帰着通知先登録テーブル１２ｆに登録された電話番号をリセットし（Ｓ３６）、処理を完了させる。
【０１２４】
図２１は、発信者の携帯電話機５０１の表示面５０２に表示されるＳＭＳ受信画面の表示例を示す図である。
【０１２５】
上述のようにして、携帯電話機１がホームエリア帰着時に、ホームエリア帰着通知メッセージが入力されたＳＭＳが送信されると、図２１に示すように、携帯電話機１がローミングエリアにあるときに携帯電話機１に対して発信した発信者の携帯電話機５０１の表示面５０２には、ＳＭＳ受信画面が表示される。
【０１２６】
本変更例では、ホームエリア帰着時に、図２０（ａ）に示すように、ホームエリア帰着通知画面が表示されるため、ユーザは、迅速にホームエリアに帰着したことを知ることができる。これにより、ユーザは、緊急を有する電話であった場合は、早急に発信者に連絡することができる。
【０１２７】
さらに、本変更例では、ホームエリア帰着時に、携帯電話機１がローミングエリアにあるときに携帯電話機１に対して発信した発信者に対して、ホームエリア帰着通知メッセージが記載されたＳＭＳが送信されるため、発信者側も、迅速に、携帯電話機１がホームエリアに帰着したことを知ることができる。これにより、発信者は、早急に携帯電話機１のユーザに連絡することができる。また、ホームエリア帰着通知メッセージは、あらかじめ記憶部１２に記憶されているため、ユーザがメッセージを入力する手間を省くことができる。
【０１２８】
なお、本変更例においても、変更例１に示すように、ホームエリア帰着通知メッセージが入力されたＳＭＳ作成画面が表示され、ユーザによって、適宜、メッセージの変更、追加ができるようになっていても良い。
【０１２９】
また、本変更例においては、上記実施の形態同様、ローミングエリア着信時に、発信者にローミングエリア通知メッセージが通知されたが（Ｓ２０９〜Ｓ２１１）、これらの処理は省略されても良い。なお、この場合、発信者は、携帯電話機１がローミングエリアにいることを知ることができないため、本変更例のように、ローミングエリア着信時に、発信者にローミングエリア通知メッセージが通知されることが望ましい。
【０１３０】
＜変更例４＞
上記実施の形態、変更例１ないし３では、ローミングエリア着信画面において、ローミングエリア通知アイコン１１４、メッセージ通知アイコン１１５または、ホームエリア帰着通知アイコン１１６のいずれか１つが配されたが、変更例４では、図２２（ａ）に示すように、全てのアイコンがローミングエリア着信画面Ｒ４に配される。
【０１３１】
図２３は、変更例４に係る、ローミングエリアに応じた着信の制御処理の手順を示すフローチャートである。図２３は、図６、図７および図１７（ｂ）のフローチャートを組み合わせて、一部変更するものであり、変更された処理を含む一部の処理のみが示されている。
【０１３２】
制御部１１は、図２２（ａ）に示すように、受話アイコン１１１と、拒否アイコン１１２と、ローミングエリア通知アイコン１１４と、メッセージ通知アイコン１１５と、ホームエリア帰着通知アイコン１１６が配されたローミングエリア着信画面Ｒ４を表示面３に表示する（Ｓ５０１）。そして、制御部１１は、上記実施の形態および変更例３と同様にして、各アイコンに対するタップ操作状況を確認する（Ｓ１０２、Ｓ２０２〜Ｓ２０５、Ｓ４０２）。各アイコンに対するタップ操作状況に応じて、制御部１１は、上記実施の形態、および変更例３と同様にして各機能の制御処理を行う。
【０１３３】
本変更例では、ユーザは、着信毎に、適宜、適正な対処方法を選択することができる。
【０１３４】
なお、本変更例では、各機能のアイコンがローミングエリア着信画面Ｒ４に配されたが、図２２（ｂ）に示すように、フリック操作に応じて、各機能が実行されるように設定されていても良い。
【０１３５】
図２２（ｂ）に示すローミングエリア着信画面Ｒ５では、メッセージ通知オブジェクト１３１が中央に配されている。ユーザにより、メッセージ通知オブジェクト１３１に対して上方向にフリック操作がなされると、制御部１１は、ローミングエリア通知メッセージが入力されたＳＭＳを送信する機能を実行する。また、ユーザにより、メッセージ通知オブジェクト１３１に対して下方向にフリック操作がなされると、制御部１１は、ホームエリア帰着時にホームエリア帰着時通知メッセージが入力されたＳＭＳを送信する機能を実行する。さらに、ユーザにより、メッセージ通知オブジェクト１３１に対してタップ操作がなされると、制御部１１は、ＳＭＳ作成画面を表示する機能を実行する。
【０１３６】
これにより、上記同様、ユーザは、着信毎に、適宜、適正な対処方法を選択することができる。
【０１３７】
＜変更例５＞
変更例３、４では、ローミングエリア着信時に、ホームエリア帰着通知アイコン１１６に対応する機能が実行された全ての発信者に対して、ホームエリア帰着通知メッセージが通知されたが、変更例５では、ホームエリア帰着通知先登録テーブル１２ｆに登録された電話番号の相手と通話した場合、通話した相手に対しては、ホームエリア帰着通知メッセージが通知されない。
【０１３８】
図２４は、変更例５に係る、通話処理の手順を示すフローチャートである。通話処理は、図７に示すように、ローミングエリアでの着信時に受話アイコン１１１に対してタップ操作がなされた場合（Ｓ２０３：ＹＥＳ）、または、ローミングエリアにおいて携帯電話機１のユーザにより電話の発信操作がなされた場合に実行される。
【０１３９】
制御部１１は、表示面３に通話画面を表示する処理、通話先の電話機との通信網の確立等の通話開始に係る処理を実行する（Ｓ６０１）。通話開始処理が完了すると、制御部１１は、受話音声の入出力処理を行い（Ｓ６０２）、着信または発信が切断されたか否かを判定する（Ｓ６０３）。
【０１４０】
制御部１１が着信または発信が切断されていないと判断した場合（Ｓ６０３：ＮＯ）、制御部１１は、受話音声の入出力処理を継続する（Ｓ６０２）。制御部１１が着信または
発信が切断されたと判断すると（Ｓ６０３：ＹＥＳ）、制御部１１は、通話先の電話機との通信網の切断、通話画面の表示の終了等の通話終了に係る処理を実行する（Ｓ６０４）。
【０１４１】
通話が終了すると、制御部１１は、ホームエリア帰着通知先登録テーブル１２ｆに通話先の電話番号が登録されているか否かを判定する（Ｓ６０５）。制御部１１がホームエリア帰着先登録テーブル１２ｆに通話先の電話番号が登録されていると判断した場合（Ｓ６０５：ＹＥＳ）、制御部１１は、ホームエリア帰着通知先登録テーブル１２ｆから通知先の電話番号を削除する（Ｓ６０６）。制御部１１がホームエリア帰着先登録テーブル１２ｆに通話先の電話番号が登録されていないと判断した場合（Ｓ６０５：ＮＯ）、制御部１１は、処理を完了する。
【０１４２】
本変更例では、ローミングエリア滞在時に既に通話した相手に対して、ホームエリア帰着通知メッセージが通知されることが抑制される。これにより、ユーザは、ホームエリアに帰着したことを伝えたい相手にのみ、ホームエリアに帰着したことを伝えることができる。
【０１４３】
＜その他＞
以上、本発明の実施の形態および変更例について説明したが、本発明は、上記実施の形態等によって何ら制限されるものではなく、また、本発明の実施の形態も、上記以外に種々の変更が可能である。
【０１４４】
たとえば、上記実施の形態および変更例では、記憶部１２のローミングエリア通知メッセージテンプレート１２ｃには、単一のローミングエリア通知メッセージが記憶されたが、ローミングエリア通知メッセージテンプレート１２ｃに、複数種類のローミングエリア通知メッセージが記憶されていても良い。この場合、たとえば、図１２（ｂ）に示すＳＭＳ作成画面において、メッセージ切り替えのためのボタンが配されていても良い。こうすると、ユーザは、状況に応じて、適正なメッセージを選択することができ、迅速、且つ、発信者に適正なメッセージを通知することができる。
【０１４５】
また、上記変更例２では、ローミングエリア通知先設定テーブル１２ｄに登録されていない電話番号からの着信の場合、ホームエリア着信画面Ｈ１と同様に、メッセージが入力されていないＳＭＳ作成画面が表示されたが、あらかじめ記憶部１２にローミングエリアであることを伝えたくない発信者用のメッセージテンプレートが記憶され、そのメッセージテンプレートが自動入力されても良い。この場合、ローミングエリアにいることを通知したい相手、通知したくない相手の両方に、メッセージを迅速に伝えることができる。
【０１４６】
また、上記実施の形態および変更例では、発信者にメッセージを通知する手段として、ＳＭＳが用いられたが、これに代えて、Ｅｍａｉｌが用いられても良い。この場合、発信者の電話番号に対応するメールアドレスが電話帳テーブル１２ａから読み出される。ＳＭＳが用いられる場合は、電話番号のみでメッセージのやり取りが可能なため、電話帳テーブル１２ａに対応するメールアドレスが登録されていなくとも、通信が可能である。他方、Ｅｍａｉｌが用いられる場合、公衆の無線ＬＡＮ環境下において、費用を低く抑えられる効果が見込まれる。
【０１４７】
また、上記実施の形態および変更例では、電波の受信状態に応じて、表示面３に表示される着信画面が変更されたが、これに加えて、着信音が変更されても良い。また、着信時に点灯するＬＥＤ（Light Emitting Diode）等が携帯電話機１に搭載される場合、電波の受信状態に応じて、点灯色が変更されても良い。さらには、携帯電話機１に振動素子等が搭載される場合、電波の受信状態に応じて、振動パターンが変更されても良い。こうする
と、ユーザは、ローミングエリアでの着信とホームエリアでの着信をより明確に区別することができる。
【０１４８】
また、上記実施の形態および変更例では、図１０（ｂ）に示すように、携帯電話機１がローミングエリアにあることのみを通知したが、回線事業者に関する情報からローミングサービスを利用している回線事業者名や現在滞在している国等を取得し、これらの情報を追加して通知することとしても良い。さらには、携帯電話機１にＧＰＳ（Global Positioning System）が搭載される場合、ＧＰＳ機能を利用して、現在地の国や州、都道府県等の地理的情報を含めた情報を追加して通知することとしても良い。
【０１４９】
本発明は、携帯電話機に限られず、ＰＤＡ（Personal DigitalAssistant）、タブレットＰＣ（Tablet PC）、電子書籍端末等の各種の携帯端末装置に適用可能である。
【０１５０】
この他、本発明の実施形態は、特許請求の範囲に示された技術的思想の範囲内において、適宜、種々の変更が可能である。
【符号の説明】
【０１５１】
３  表示面
１１  制御部（受信状態検知部、着信制御部）
１２  記憶部
１２ｃ  ローミングエリア通知メッセージテンプレート（第１のメッセージ、第４のメッセージ）
１２ｄ  ローミングエリア通知先設定テーブル（判定条件）
１２ｅ  ホームエリア帰着通知メッセージテンプレート（第２のメッセージ、第３のメッセージ）
１２ｆ  ホームエリア帰着通知先登録テーブル（登録領域）
１３  表示部
１９  通信部（着信受付部）
Ｒ１〜Ｒ５  ローミングエリア着信画面（第１の着信画面）
Ｈ１  ホームエリア着信画面（第２の着信画面）
１１４  ローミングエリア通知アイコン（第１のオブジェクト）
１１５  メッセージ通知アイコン（第３のオブジェクト）
１１６  ホームエリア帰着通知アイコン（第２のオブジェクト）
１３１  メッセージ通知オブジェクト（第１のオブジェクト、第２のオブジェクト、第３のオブジェクト）
【図１】
2014103448.tif 000003
【図２】
2014103448.tif 000004
【図３】
2014103448.tif 000005
【図４】
2014103448.tif 000006
【図５】
2014103448.tif 000007
【図６】
2014103448.tif 000008
【図７】
2014103448.tif 000009
【図８】
2014103448.tif 000010
【図９】
2014103448.tif 000011
【図１０】
2014103448.tif 000012
【図１１】
2014103448.tif 000013
【図１２】
2014103448.tif 000014
【図１３】
2014103448.tif 000015
【図１４】
2014103448.tif 000016
【図１５】
2014103448.tif 000017
【図１６】
2014103448.tif 000018
【図１７】
2014103448.tif 000019
【図１８】
2014103448.tif 000020
【図１９】
2014103448.tif 000021
【図２０】
2014103448.tif 000022
【図２１】
2014103448.tif 000023
【図２２】
2014103448.tif 000024
【図２３】
2014103448.tif 000025
【図２４】
2014103448.tif 000026